【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
複合ループアンテナであって、該複合ループアンテナは：
第１平面上に置かれる且つ磁界を生じさせる磁気ループであって、該磁気ループは、下流部分と上流部分を含み、該上流部分は供給に接続され、該下流部分は、磁気ループの下流部分を容量的に供給する容量性ギャップによって上流部分から分離され、上流部分から放射される磁界に直交する電界を少なくとも部分的に生じさせる、磁気ループ；及び
第１平面上に置かれる電界ラジエーターであって、該電界ラジエーターは、供給に対して約９０度の電気角度位置、供給に対して約２７０度の電気角度位置、又は、磁気ループを通って流れる電流が反射する最小にある反射最小点で、磁気ループの下流部分に結合され且つ磁界に直交する電界を放射するように構成される、電界ラジエーター
を含むことを特徴とする、複合ループアンテナ。
【請求項２】
磁気ループに結合したラジエーター供給であって、ここで、電界ラジエーターは、ラジエーター供給の隣に位置し、電界ラジエーターは、電界ラジエーターを容量的に供給する第２容量性ギャップによってラジエーター供給から分離される、ラジエーター供給；及び
電界ラジエーターを磁気ループに結合する電気リターントレース
を更に含む、請求項１に記載の複合ループアンテナ。
【請求項３】
磁気ループにラジエーター供給を結合する電気トレースを更に含むことを特徴とする、請求項２に記載の複合ループアンテナ。
【請求項４】
電気トレースは、接続点でラジエーター供給と磁気ループを結合し、該接続点は、磁気ループの駆動点、又は磁気ループを通って流れる電流が反射する最小にある反射最小点から、およそ９０度又はおよそ２７０度の電気角度位置を含むことを特徴とする、請求項３に記載の複合ループアンテナ。
【請求項５】
ラジエーター供給は、磁気ループに直接結合されることを特徴とする、請求項２に記載の複合ループアンテナ。
【請求項６】
ラジエーター供給は、接続点で磁気ループに電界ラジエーターを結合し、該接続点は、磁気ループの駆動点、又は磁気ループを通って流れる電流が反射する最小にある反射最小点から、およそ９０度又はおよそ２７０度の電気角度位置を含むことを特徴とする、請求項５に記載の複合ループアンテナ。
【請求項７】
電気リターントレースは、第１平面より下の第２平面に置かれることを特徴とする、請求項２に記載の複合ループアンテナ。
【請求項８】
電界ラジエーターは、接続点で磁気ループに直接結合され、該接続点は、磁気ループの駆動点、又は磁気ループを通って流れる電流が反射する最小にある反射最小点から、およそ９０度又はおよそ２７０度の電気角度位置を含むことを特徴とする、請求項１に記載の複合ループアンテナ。
【請求項９】
磁気ループの第１部分の第１幅は、磁気ループの第２部分の第２幅より長い又は短いことを特徴とする、請求項１に記載の複合ループアンテナ。
【請求項１０】
磁気ループに沿った容量性ギャップの位置の調整は、アンテナのインピーダンスを調整することを特徴とする、請求項１に記載の複合ループアンテナ。
【請求項１１】
マルチバンド複合ループアンテナであって、該マルチバンド複合ループアンテナは：
第１平面に置かれる且つ磁界を生じさせる磁気ループであって、磁気ループの第１部分は、第１周波数帯域で磁界に直交する第１電界を放射するように構成される、磁気ループ；
第１平面に置かれ且つ磁気ループに結合されるラジエーター供給であって、該ラジエーター供給は、第１周波数帯域で磁気ループの第１部分と同相で共振するように構成される、ラジエーター供給；及び
第１平面に置かれる電界ラジエーターであって、該電界ラジエーターは、第１平面より下の第２平面に位置する電気リターントレースを介して磁気ループに結合され、電界ラジエーターは、ラジエーター供給に隣接して位置付けられ、容量性ギャップによってラジエーター供給から分離され、電界ラジエーターは、第２周波数帯域で、及び磁界に直交する第２電界を放射するように構成される、電界ラジエーター
を含むことを特徴とする、マルチバンド複合ループアンテナ。
【請求項１２】
電界ラジエーター及びラジエーター供給は、磁気ループの内部に位置することを特徴とする、請求項１１に記載のマルチバンド複合ループアンテナ。
【請求項１３】
電界ラジエーター及びラジエーター供給は、磁気ループの外部に位置することを特徴とする、請求項１１に記載のマルチバンド複合ループアンテナ。
【請求項１４】
ラジエーター供給は接続点で磁気ループに結合し、該接続点は、磁気ループの駆動点、又は磁気ループを通って流れる電流が反射する最小にある反射最小点から、およそ９０度又はおよそ２７０度の電気角度位置を含むことを特徴とする、請求項１１に記載のマルチバンド複合ループアンテナ。
【請求項１５】
電気リターントレースは接続点で磁気ループに結合し、該接続点は、磁気ループの駆動点、又は磁気ループを通って流れる電流が反射する最小にある反射最小点から、およそ９０度又はおよそ２７０度の電気角度位置を含むことを特徴とする、請求項１１に記載のマルチバンド複合ループアンテナ。
【請求項１６】
磁気ループの第１部分の第１幅は、磁気ループの第２部分の第２幅より長い又は短いことを特徴とする、請求項１１に記載のマルチバンド複合ループアンテナ。
【請求項１７】
容量性ギャップの位置の調整は、アンテナのインピーダンスを調整することを特徴とする、請求項１１に記載のマルチバンド複合ループアンテナ。
【請求項１８】
マルチバンドアンテナであって、該マルチバンドアンテナは：
第１平面上に少なくとも部分的に置かれる且つ磁界を生じさせる磁気ループであって、該磁気ループは、下流部分と上流部分を含み、該上流部分は供給に接続され、該下流部分は、磁気ループの下流部分を容量的に供給する容量性ギャップによって上流部分から分離され、上流部分は、第１周波数帯域で第１電界を放射するように構成される、磁気ループ；及び
第１平面上に置かれた電界ラジエーターであって、該電界ラジエーターは、供給に対して約９０度の電気角度位置、供給に対して約２７０度の電気角度位置、又は、磁気ループを通って流れる電流が反射する最小にある反射最小点で、磁気ループの下流部分に結合され、ここで、電界ラジエーターは、第２周波数帯域で磁界に直交する第２電界を放射するように磁気ループの上流部分及び下流部分に結合し、電界ラジエーターは、第２周波数帯域で磁気ループの上流部分及び下流部分と同相で共振する、電界ラジエーター
を含むことを特徴とする、マルチバンドアンテナ。
【請求項１９】
電界ラジエーターは磁気ループの内部に位置付けられることを特徴とする、請求項１８に記載のマルチバンドアンテナ。
【請求項２０】
電界ラジエーターは、接続点で電気トレースを介して磁気ループに結合され、該接続点は、磁気ループの駆動点、又は磁気ループを通って流れる電流が反射する最小にある反射最小点から、およそ９０度又はおよそ２７０度の電気角度位置を含むことを特徴とする、請求項１８に記載のマルチバンドアンテナ。
【請求項２１】
磁気ループの下流部分の第１部分の第１幅は、磁気ループの下流部分の第２部分の第２幅より長い又は短いことを特徴とする、請求項１８に記載のマルチバンドアンテナ。
【請求項２２】
容量性ギャップの位置の調整は、アンテナのインピーダンスを調整することを特徴とする、請求項１８に記載のマルチバンドアンテナ。
【請求項２３】
下流部分は、第１平面上の第１部分及び第１平面上の第２部分に分離され、且つ、第１部分を第２部分に結合させる第１平面から離れて伸びる３次元ワイヤーを含むことを特徴とする、請求項１８に記載のマルチバンドアンテナ。
【請求項２４】
下流部分は、第１平面上の第１部分、第１平面上の第２部分、第１部分を第２部分に結合させる第２平面上の第３部分に分離されることを特徴とする、請求項１８に記載のマルチバンドアンテナ。
【請求項２５】
第３部分の幅及び長さは、アンテナを調整するために使用されることを特徴とする、請求項２４に記載のマルチバンドアンテナ。
【請求項２６】
第３部分の物理的形状は、アンテナの合計の誘導リアクタンスにインダクタンスを加えるために使用されることを特徴とする、請求項２４に記載のマルチバンドアンテナ。
【請求項２７】
第１電界及び第２電界は同じ周波数であり、同じ周波数で同相で放射することを特徴とする、請求項１に記載の複合ループアンテナ
【請求項２８】
第１電界及び第２電界は異なる周波数であることを特徴とする、請求項１に記載の複合ループアンテナ。
【請求項２９】
第１電界及び第２電界は同じ周波数であり、同じ周波数で同相で放射することを特徴とする、請求項１８に記載のマルチバンドアンテナ
【請求項３０】
第１電界及び第２電界は異なる周波数であることを特徴とする、請求項１８に記載のマルチバンドアンテナ。
【請求項３１】
複合ループアンテナであって、該複合ループアンテナは：
第１平面上に置かれる且つ磁界を生じさせる磁気ループであって、該磁気ループは、下流部分と上流部分を含み、該上流部分は供給に接続され、該下流部分は、磁気ループの下流部分を容量的に供給する容量性ギャップによって上流部分から分離され、上流部分から放射される磁界に直交する電界を少なくとも部分的に生じさせる、磁気ループ；及び
第１平面上に置かれる電界ラジエーターであって、該電界ラジエーターは磁気ループの下流部分に結合され、それにより、容量性ギャップは、電界ラジエーターと供給の間に置かれ、電界ラジエーターは、磁界に直交する第２電界を放射するように構成される、電界ラジエーター
を含むことを特徴とする、複合ループアンテナ。